(57)【要約】      （修正有）【課題】マスクを一時的に外す場合に、手に持ったり収納容器に収めたりすることなく、容易にマスクを顔に再装着することができるマスクを提供する。【解決手段】マスク１は、マスク本体１０と、マスク本体１０の一方の端の上端及び下端に両端のそれぞれが接続されている第一マスク主紐１１と、マスク本体１０のもう一方の端の上端及び下端に両端のそれぞれが接続されている第二マスク主紐１２と、第一マスク主紐１１又は第二マスク主紐１２に両端が接続されているマスク副紐１３とを備え、マスク副紐１３の中心部とマスク本体１０との間の長さは、第一マスク主紐１１又は第二マスク主紐１２の中心部とマスク本体１０との間の長さよりも長い。【選択図】図１
0003233843.tif 000002
【実用新案登録請求の範囲】
【請求項１】
マスク本体と、
前記マスク本体の一方の端の上端及び下端に両端のそれぞれが接続されている第一マスク主紐と、
前記マスク本体のもう一方の端の上端及び下端に両端のそれぞれが接続されている第二マスク主紐と、
前記第一マスク主紐又は前記第二マスク主紐に両端が接続されているマスク副紐と、
を備え、
前記マスク副紐の中心部と前記マスク本体との間の長さは、前記第一マスク主紐又は前記第二マスク主紐の中心部と前記マスク本体との間の長さよりも長い、
マスク。
【請求項２】
前記第一マスク主紐は、装着時に右耳に引っ掛ける為に使用され、
前記第二マスク主紐は、装着時に左耳に引っ掛ける為に使用され、
前記マスク副紐は、前記第一マスク主紐に両端が接続されている、
請求項１に記載のマスク。
【請求項３】
前記マスク副紐の両端は、前記第一マスク主紐又は前記第二マスク主紐の両端から所定の距離だけ離れた位置にそれぞれ接続される、
請求項１又は２に記載のマスク。
【考案の詳細な説明】
【技術分野】
【０００１】
本考案は、マスクに関する。
【背景技術】
【０００２】
従来から、不織布やガーゼ、布、ウレタンなどの布状の物の両端に耳紐を取り付けて、耳紐を耳に引っ掛けることによって、布状の物で顔の前面（口元）を覆うマスクが知られている。
【０００３】
従来のマスクは、マスク本体と一対の耳紐からなる為、マスク本体と顔との間に隙間ができることがあった。これを解決すべく、マスク本体とその左右端部のそれぞれに耳掛け主紐を持つマスクにおいて、該耳掛け主紐とは別の紐部材からなる略環状の耳掛け中央紐が、マスク本体の左右両端中央部にそれぞれ取り付けられて形成されていることによって、マスク本体と顔との間の隙間を少なくするマスクが特許文献１として開示されている。
【先行技術文献】
【特許文献】
【０００４】
【特許文献１】特開第２００４−２６７６９４号公報
【考案の概要】
【考案が解決しようとする課題】
【０００５】
しかしながら、特許文献１に記載の技術では、マスクを一時的に外す場合に、マスクを手に持ったり収納容器に収めたりする必要があり、再度マスクを顔に装着する際に手間がかかるという問題があった。また、例えば食事の際に耳紐を耳に引っ掛けたままの状態でマスク本体のみを引っ張って口元からずらした場合、耳が痛くなるという問題があった。
【０００６】
本考案は、このような課題に鑑みてなされたものであり、その目的は、マスクを一時的に外す場合に、マスクを手に持ったり収納容器に収めたりすることなく、容易にマスクを顔に再装着することができるマスクを提供することにある。
【０００７】
また、本考案の目的は、耳紐を耳に引っ掛けたままの状態でマスク本体のみ外した場合においても、耳が痛くならないマスクを提供することにある。
【課題を解決するための手段】
【０００８】
本考案の第一態様に係るマスクは、マスク本体と、前記マスク本体の一方の端の上端及び下端に両端のそれぞれが接続されている第一マスク主紐と、前記マスク本体のもう一方の端の上端及び下端に両端のそれぞれが接続されている第二マスク主紐と、前記第一マスク主紐又は前記第二マスク主紐に両端が接続されているマスク副紐と、を備え、前記マスク副紐の中心部と前記マスク本体との間の長さは、前記第一マスク主紐又は前記第二マスク主紐の中心部と前記マスク本体との間の長さよりも長い。
【０００９】
本考案の第二態様に係るマスクは、前記第一マスク主紐が装着時に右耳に引っ掛ける為に使用され、前記第二マスク主紐が装着時に左耳に引っ掛ける為に使用され、前記マスク副紐が前記第一マスク主紐に両端が接続されている。
【００１０】
本考案の第三態様に係るマスクは、前記マスク副紐の両端が前記第一マスク主紐又は前記第二マスク主紐の両端から所定の距離だけ離れた位置にそれぞれ接続される。
【考案の効果】
【００１１】
本考案によれば、マスクを一時的に外す場合に、マスクを手に持ったり収納容器に収めたりすることなく、容易にマスクを顔に再装着することができるマスクを提供することができる。
【００１２】
また、本考案によれば、耳紐を耳に引っ掛けたままの状態でマスク本体のみ外した場合においても、耳が痛くならないマスクを提供することができる。
【図面の簡単な説明】
【００１３】
【図１】本考案の一実施形態に係るマスクの正面図である。
【図２】本考案の一実施形態に係るマスクの背面図である。
【図３】本考案の一実施形態に係るマスクの使用状態のうち装着状態を示す図である。
【図４】本考案の一実施形態に係るマスクの使用状態のうち半未装着状態を示す図である。
【考案を実施するための形態】
【００１４】
図１は、本考案の一実施形態に係るマスク１の正面図である。また、図２は、本考案の一実施形態に係るマスク１の背面図である。
【００１５】
図１及び図２に示すように、マスク１は、マスク本体１０と、第一マスク主紐１１と、第二マスク主紐１２と、マスク副紐１３とを備える。
【００１６】
マスク本体１０は、例えば、不織布やガーゼ、布、ウレタンなどの布状の素材で形成されており、左右の端の上下端にそれぞれ第一マスク主紐１１及び第二マスク主紐１２が縫い付け、接着、ボタンなどの接続具による接続又は一体化して形成されることなどの方法によって接続される。
【００１７】
第一マスク主紐１１は、例えば、弾性のある紐状の物体で形成されている。第一マスク主紐１１は、上述したように、マスク本体１０を正面から見た時の左端の上下端にその両端が縫い付けや接着、ボタンなどの接続具による接続又は一体化して形成されることなどの方法によって接続される。
【００１８】
第二マスク主紐１２は、例えば、弾性のある紐状の物体で形成されている。第二マスク主紐１２は、上述したように、マスク本体１０を正面から見た時の右端の上下端にその両端が縫い付けや接着、ボタンなどの接続具による接続又は一体化して形成されることなどの方法によって接続される。
【００１９】
マスク副紐１３は、例えば、弾性のある紐状の物体で形成されている。マスク副紐１３は、第一マスク主紐１１に両端のそれぞれが結び付けや接着、ボタンなどの接続具による接続又は一体化して形成されることなどの方法によって接続される。なお、本実施形態では、マスク副紐１３は、第一マスク主紐１１に接続されているが、別実施形態では、マスク副紐１３は、第二マスク主紐１２に接続される。また、本実施形態では、マスク副紐１３の両端は、第一マスク主紐１１の両端からそれぞれ所定の距離だけ離れた位置に接続されているが、第一マスク主紐１１の両端の一方からマスク副紐１３を介して第一マスク主紐１１の両端の他方に至るまでの長さが第一マスク主紐１１そのものの長さより長ければ第一マスク主紐１１のどの位置に接続されていても良い。より具体的には、本実施形態では、マスク副紐１３の両端は、マスク副紐１３の中心部とマスク本体１０との間の長さが第一マスク主紐１１の中心部とマスク本体１０との間の長さよりも長ければ、第一マスク主紐１１のどの位置に接続されていても良い。別実施形態においては、マスク副紐１３の両端は、マスク副紐１３の中心部とマスク本体１０との間の長さが第二マスク主紐１２の中心部とマスク本体１０との間の長さよりも長ければ、第二マスク主紐１２のどの位置に接続されていても良い。
【００２０】
図３は、本考案の一実施形態に係るマスク１の使用状態のうち装着状態を示す図である。図３に示すように、マスク１の使用者は、マスク１を装着状態で使用する場合、マスク本体１０で顔２を覆う。具体的には、マスク１の使用者は、第一マスク主紐１１を右耳に引っ掛けて、図視されていないが第二マスク主紐１２を左耳に引っ掛けてマスク１を装着状態として使用する。
【００２１】
図４は、本考案の一実施形態に係るマスク１の使用状態のうち半未装着状態を示す図である。図４に示すように、マスク１の使用者は、マスク１を半未装着状態で使用する場合、マスク本体１０を顔２から外し顎下に垂らす。具体的には、マスク１の使用者は、マスク副紐１３を右耳に引っ掛けて、図視されていないが第二マスク主紐１２を左耳に引っ掛け、さらにマスク本体１０を顎下に垂らしてマスク１を使用する。
【００２２】
本実施形態に係るマスク１は、第一マスク主紐１１の両端の一方からマスク副紐１３を介して第一マスク主紐１１の両端の他方に至るまでの長さが第一マスク主紐１１そのものの長さより長くなるように、第一マスク主紐１１にマスク副紐１３の両端のそれぞれが接続される。また、別実施形態では、第二マスク主紐１２の両端の一方からマスク副紐１３を介して第二マスク主紐１２の両端の他方に至るまでの長さが第二マスク主紐１２そのものの長さより長くなるように、第二マスク主紐１２にマスク副紐１３の両端のそれぞれが接続される。これによって、本実施形態に係るマスク１は、使用者がマスク１を装着状態で使用する場合、通常のマスク１として機能する。一方、本実施形態に係るマスク１は、使用者がマスク１を半未装着状態で使用する場合、マスク本体１０が顔２から外れて顎下に垂れる状態となる。
【００２３】
これにより、使用者は、マスク１を半未装着状態として使用することによって、マスク１を完全に外すことなく、飲食や喫煙などマスク１を外さないとできない行為を行うことができる。また、本実施形態又は別実施形態に係るマスク１を使用するにあたって、使用者は、耳にかけるマスク１の紐を第一マスク主紐１１又は第二マスク主紐１２かあるいはマスク副紐１３のいずれかに切り替えるだけで装着状態及び半未装着状態の切り替えを行うことができるため、使用者は、マスク１を一時的に外す場合に、マスク１を手に持ったり収納容器に収めたりすることなく、容易にマスク１を顔２に再装着することができる。
【００２４】
また、本実施形態又は別実施形態に係るマスク１を使用するにあたって、使用者は、マスク副紐１３が接続されている第一マスク主紐１１又は第二マスク主紐１２の両端の一方からマスク副紐１３を介してマスク副紐１３が接続されている第一マスク主紐１１又は第二マスク主紐１２の両端の他方までの長さが、マスク副紐１３が接続されている第一マスク主紐１１又は第二マスク主紐１２の長さよりも長い為、耳が痛くならずにマスク１を半未装着状態で使用することができる。
【００２５】
なお、本考案は、上記した実施形態に限定されるものではなく、この考案の主旨を逸脱しない範囲で自由に変更できることは勿論である。あるいは、技術的に矛盾が生じない範囲で各々の構成を任意に組み合わせてもよい。
【符号の説明】
【００２６】
１      ：マスク
２      ：顔
１０    ：マスク本体
１１    ：第一マスク主紐
１２    ：第二マスク主紐
１３    ：マスク副紐
【図１】
0003233843.tif 000003
【図２】
0003233843.tif 000004
【図３】
0003233843.tif 000005
【図４】
0003233843.tif 000006